(57)【要約】【課題】３葉片全面を使用したワイドな宣伝広告の記載が可能で、打ち抜き加工等の余分なコストを必要とする工程がなく、さらに郵便約款上問題のなく第二種郵便物の通常葉書として使用することができる三つ折りはがきを提供する。【解決手段】折り線を介して連接された３紙片が前記折り線から断面Ｚ字状に折り畳まれた三つ折り郵便はがきであり、上から第一紙片、第二紙片及び第三紙片の順に折り重ねられた第一紙片の上辺が折り線側から開封側縁辺に向け下方に傾いた斜辺であることを特徴とした三つ折り郵便はがきにより解決される。【選択図】図１
2018187907.tif 000002
【特許請求の範囲】
【請求項１】
折り線を介して連接された３紙片が前記折り線から断面Ｚ字状に折り畳まれた三つ折り郵便はがきであり、上から第一紙片、第二紙片及び第三紙片の順に折り重ねられた第一紙片の上辺が折り線側から開封側縁辺に向け下方に傾いた斜辺であることを特徴とした三つ折り郵便はがき。
【発明の詳細な説明】
【技術分野】
【０００１】  本発明は折り線を介して連接された複数の葉片を折り畳み剥離可能に積層した情報通信体の代表的な例の三つ折り郵便はがきに関する。
詳しくは折り線を介して横方向に連接された３葉片を、断面Ｚ字状に折り畳み、対向面同士を剥離可能に接着した三つ折り郵便はがきに関する。
【背景技術】
【０００２】  近年盛んに使用されるようになった圧着はがきであるが、その中情報記載量が最も多い形態に三つ折りはがきがある。このものは、折り線を介して連接された３紙片を断面Ｚ字状に折り畳み、対向面同士を剥離可能に接着して一体化したもので、代表的な例として実用新案登録第２６０７６９１号公報に記載の「三つ折りシークレットはがき」がある。【０００３】  前記考案のはがきは、中紙片をその上辺或いは左辺に沿って「郵便はがき」或いは「ＰＯＳＴＣＡＲＤ」等の文言を記載することによりはがき本体と見立て、前記文言が視認可能な状態ではがき本体の両面に貼付物を貼り付けた形態としたもので、郵便約款上正式に第二種郵便物の通常葉書として認められた形態である。
【先行技術文献】
【特許文献】
【０００４】
【特許文献１】実用新案登録第２６０７６９１号公報
【発明の概要】
【発明が解決しようとする課題】
【０００５】  前記考案のはがきは、中央本体の紙片に記載された「郵便はがき」や「ＰＯＳＴ  ＣＡＲＤ」の文言が、折り畳まれた後に外から確認できるようにする必要がある。従って例えば図４（Ａ）に記載されるように、中央本体の第二紙片１２左側の折り線１５に沿って前記文言を記載すると共に第一紙片１１の横幅を狭くしておくことにより、折り線１４から第一紙片１１を第二紙片１２側へ折り畳んだ際に前記文言が表出するようにしたり、同図（Ｂ）に示すように第二紙片１２の上辺に沿って前記文言を記載しておいて、第一紙片１１の縦幅を低くしておくことにより、折り畳んだ際に前記文言が表出するようにしたりすることにより前記問題は解決される。また同図（Ｃ）に示すように、第二葉片１２と第一葉片１１を同じ大きさにしておいて、第二葉片１２の上辺に沿って記載される前記文言が折り畳まれた際に表出するように、第一紙片１１の前記文言に該当する箇所を打ち抜いて窓Ｍを形成してもよい。【０００６】  しかるに前記各形態には以下の欠点がある。
図４（Ａ）のはがきにおいては、第二紙片１２の左側折り線１５に沿って文言が記載されているため、前記文言を含む縦帯状の区域によりデザイン領域が分断される。従って３葉片全面を使用したワイドな宣伝広告を記載することはできない。また第一葉片１１の裏側にも受取人の住所面があるため両面共に前記ワイドな宣伝広告を記載することはできない。
同図（Ｂ）のはがきにおいては、文言が第二紙片１２の上辺に沿っているので３葉片全面を使用したワイドな宣伝広告の記載は可能であるが、第一紙片１１の縦幅を狭くするため歪な切り欠きが生じ情報記載面積が減る。また前記切り欠き部分の打抜き加工が必要となる。なお前記打ち抜き加工は用紙を一枚ずつ打ち抜く別工程となり、余分なコストや時間が掛かる。
同図（Ｃ）のはがきにおいては、前記の図（Ｂ）と同様で第三紙片１３に窓Ｍを形成するため余分なコストや時間が掛かる打ち抜き加工が必要となる。またデザインも前記窓Ｍを考慮しなければならず制約が増える。【０００７】  本発明は、上記問題に鑑み、３葉片全面を使用したワイドな宣伝広告の記載が可能で、打ち抜き加工等の余分なコストを必要とする工程がなく、さらに郵便約款上問題のなく第二種郵便物の通常葉書として使用することができる三つ折りはがきを提供することを目的としている。
【課題を解決するための手段】
【０００８】上記目的を達成するために、本発明の三つ折り郵便はがきは、折り線を介して連接された３紙片が前記折り線から断面Ｚ字状に折り畳まれた三つ折り郵便はがきであり、上から第一紙片、第二紙片及び第三紙片の順に折り重ねられた第一紙片の上辺が折り線側から開封側縁辺に向け下方に傾いた斜辺であることを特徴としている。【０００９】  本発明の三つ折り郵便はがきの紙片に使用される資材は、例えば上質紙、マット紙、コート紙等の通常の用紙、合成紙、不織布或いは樹脂フィルムシート等を好適に使用することができる。なお、重量やサイズに制約があるため、用紙において四六伴換算で７０ｋｇ或いは９０ｋｇの斤量のもの、他の資材においては前記用紙に相当するものから選択することが好ましい。【００１０】  折り畳まれた対向面同士を剥離可能に接着する疑似接着は大きく分けて以下の３種類の疑似接着媒体を使用した形式がある。
１）後糊方式
印刷後の用紙の疑似接着予定面に疑似接着性のＵＶニスを塗布して疑似接着性の被膜を形成したもの。前記疑似接着性の被膜同士を対向させて加圧或いは加熱・加圧処理を施すと剥離可能に接着する。エマルジョン型の粘着剤を塗布するものもある。
２）先糊方式
印刷前の用紙の疑似接着予定面に、合成ゴム或いは天然ゴムを主成分とした疑似接着性の媒体を塗布し含侵させる。乾燥後印刷・印字を行い疑似接着予定面同士を対向させて加圧処理を施すと剥離可能に接着する。
３）フィルム方式
印刷後の用紙の疑似接着予定面に疑似接着性のフィルムシートを被覆し、前記疑似接着性のフィルムシートを対向させて加圧或いは加熱・加圧処理を施すと剥離可能に接着する。なお、フィルム方式には対向面の両面に予め被覆しておく全面貼り方式と、折り畳んだ用紙の対向面間に予め疑似接着しているフィルム方式を挟み込み接着する挟み込み方式の二種類がある。【００１１】  本発明の三つ折り郵便はがきは、第三紙片の切り欠きに相当する斜辺の形成を、打ち抜き加工等の時間とコストを要する別工程により用紙を一枚ずつ打ち抜く余分な作業を必要とせず、四周の化粧裁ち作業に使用される一般的なギロチン式の断裁機で前記化粧裁ちの作業の際に一時に大量の処理を行うことができる。従って工程の省略及びコストの削減が可能となる。【００１２】  本発明の三つ折り郵便はがきは、単位三つ折りはがき用紙が縦方向に連接された長尺シートから加工しても、或いは枚葉シートに印刷された単位はがき用紙から加工しても構わない。前記シートの形態の選択は、単位はがき用紙を長尺シートを使用してビジネスフォーム印刷や輪転印刷で行うか、或いは枚葉シートを使用してオフセット印刷やオンデマンド印刷で行うかにより決定される。
【発明の効果】
【００１３】  本発明の三つ折り郵便はがきによれば、３葉片全面を使用したワイドな宣伝広告の記載が可能になる。そのため受取人に対する訴求効果が高まる。また、打ち抜き加工等の余分なコストを必要とする工程がなくなるため、製造時間の短縮とコストの削減が可能になる。さらに、郵便約款上問題のなく第二種郵便物の通常葉書として使用することができる。
【図面の簡単な説明】
【００１４】
【図１】（Ａ）は三つ折り郵便はがきＪの平面図、（Ｂ）は（Ａ）におけるＩ−Ｉ線断面図、（Ｃ）は（Ａ）におけるＩＩ−ＩＩ線断面図である。
【図２】（Ａ）は三つ折り郵便はがきＪ斜視図、（Ｂ）は第二紙片２から第一紙片１及び第三紙片３を剥離した状態を示す斜視図である。
【図３】（Ａ）は平面に展開した三つ折り郵便はがきＪの表面図、（Ｂ）は裏面図である。
【図４】（Ａ）は従来の三つ折り郵便はがきの平面展開図、（Ｂ）は（Ａ）と異なる態様の三つ折り郵便はがきを平面に展開した表面図、（Ｃ）はさらに異なる態様の三つ折り郵便はがきを平面に展開した表面図である。
【発明を実施するための形態】
【００１５】  以下本発明の実施の形態を図面に基づいて具体的に説明する。
なお、以下の実施例では、疑似接着媒体に全面貼り方式の疑似接着フィルムシートを用いた、フィルム方式による三つ折り郵便はがきを例に説明する。
図１（Ｂ）に示すように本発明の三つ折り郵便はがきＪは、第一葉片１、第二葉片２及び第三葉片３が折り線４及び５から断面Ｚ字状に折り畳まれている。そして各葉片の対向面間は全面貼り方式の疑似接着フィルムシートＧが介在により剥離可能に接着されて全体として一体化されている。
【００１６】  前記全面貼り方式の疑似接着フィルムシートは、例えばポリエチレンテレフタレートや二軸延伸ポリプロピレン等を基材として、一方の面に公知の感熱接着剤層を形成すると共にもう一方の面に疑似接着層を形成したものを採用できる。このものは印刷物の疑似接着予定面に前記感熱接着剤層を介して被覆した後に、前記疑似接着層が対向するように折り畳み、加圧或いは加熱・加圧処理を施すことにより剥離可能に接着する。
【００１７】  そして第一葉片１の表出面には郵便料金欄や郵便番号枠が記載されており、その上辺は折り線４から左側の開封辺に向けて傾きを持つ斜辺となっており、従って前記斜辺により下の第二葉片２と一致しない部分が段差を形成すると共に、前記段差部分の第二葉片２（郵便はがきの本体）の表出面に「郵便はがき」の文言が視認可能な状態に記載されている。
【００１８】  この三つ折り郵便はがきＪの受取人は図２（Ａ）及び（Ｂ）に示すように、第一葉片１及び第三葉片３を中央の郵便はがき本体となる第二葉片２から剥離して展開し、内部に記載されている個人情報等を透明或いは半透な疑似接着フィルムシートＧを透して確認することができるのである。
【００１９】  本発明の三つ折り郵便はがきＪは最終的に図３（Ａ）及び（Ｂ）に示すように、３葉片を平面に展開することができ、特に同図（Ｂ）に示すように、裏面側は「郵便はがき」の文言が第二葉片２の上辺に沿った位置に記載されるため、３葉片を通したワイドな宣伝広告を記載しても邪魔にならず何ら問題はない。
【００２０】  なお、既述の構成の三つ折り郵便はがきＪを製造するには、例えば図３（Ａ）及び（Ｂ）に示す三つ折り郵便はがきＪが印刷された用紙の、疑似接着予定面に疑似接着フィルムシートＧを被覆する。そして三つ折り郵便はがきＪの四周の余白部分を通常のギロチン式断裁機により切除して切り出す。そしてそのまま第一葉片１の上辺の二点鎖線部分を斜辺から、前記ギロチン式断裁機により断裁して除去すれば本発明の三つ折り郵便はがきＪが切り出されるのである。
【００２１】  なお第一葉片１の上辺の斜辺は、前記実施例では折り線４から左側開封辺に向けて斜め下に下がっているが、「郵便はがき」の文言は上辺の中央に記載されているためその文言が視認可能な状態の斜辺であればこれに限られない。即ち折り線４より第一葉片１に入り込んだ位置から斜辺が形成されていても構わないのである。何れにしてもギロチン式の断裁機により切除される斜辺は、他の縁辺と同様に直線で形成されることになる。
【００２２】  本発明は上記実施例に限られるものではない。
例えば、疑似接着媒体は疑似接着フィルムシートに限られず、既述の各種の疑似接着媒体を使用した場合も同じ効果を得ることができる。
また、斜辺により形成される段差部分は、三つ折り郵便はがきの開封の効果的な端緒となり、改めてコーナーカット等による開封端緒を形成する手間が省ける。
【符号の説明】
【００２３】  Ｊ  三つ折り郵便はがき
Ｇ  疑似接着フィルムシート
１、２、３、１１、１２、１３  葉片
４、５、１４、１５  折り線
【図１】
2018187907.tif 000003
【図２】
2018187907.tif 000004
【図３】
2018187907.tif 000005
【図４】
2018187907.tif 000006